(57)【要約】【課題】カーテンに安価で確実に均一な美しいウエーブ襞を作る手段を課題とする。【解決手段】カーテンの表側と裏側に交互に凹凸のウエーブ状襞を作るために、カーテン上端部のフック装着用テープに設けたフック通し穴部に、ウエーブの振幅の略中央部で、吊り下げ用複数足フックまたはそのフックに吊り下げ高さの上下方向の長さを可変できるアジャスター機能を有したフックを装着し、ウエーブ振幅の略中央部で隣接点同士をカーテン生地の半波ウエーブ長さより短い所定の長さの紐体でランナー同士を結合したことを手段とするカーテン方式。【選択図】図１
2008253686.tif 000002
【特許請求の範囲】
【請求項１】
カーテンの表側と裏側に交互に凹凸のウエーブ状襞を作るために、ウエーブ振幅の略中央部の隣接点同士をカーテン生地の半波ウエーブ長さより短い所定の長さの紐体でランナー同士を結合するカーテン装置において、カーテン上端部のカーテンテープにカーテンレール長手方向に垂直なフック通し穴部を設けて、ウエーブの振幅の略中央部にて、穴部ピッチに対応した足部ピッチを有する吊り下げ用複数足フックまたはそのフックに吊り下げ高さの調節機能を有したフックを装着したことを特徴とするウエーブ状襞を形成するカーテン方式。
【請求項２】
請求項１において、紐体でランナー同士の結合をせず、カーテン閉口時にはウエーブ状襞を設けずフラットなカーテン形態とし、カーテン開口時にはウエーブ状襞を形成するカーテン方式。
【請求項３】
請求項１において、カーテンの表側と裏側凸部の連結紐体の長さを交互に変えることでカーテンの表側と裏側凸部のピッチ比を異ならせたことを特徴とするウエーブ状襞を形成するカーテン方式。
【発明の詳細な説明】
【技術分野】
【０００１】  本発明は屋内の窓等に使用するカーテンに関する。
【背景技術】
【０００２】  一般の家屋で使用するカーテンは、カーテンに襞をつくり、美観の向上や熱の遮断性の向上あるいは薄物生地カーテンでは採光の多様性を図っている。【０００３】
【特許文献１】公開特許公報  特開平９−１００９４
【特許文献２】公開特許公報  特開２００２−３４７７７
【特許文献３】再公表特許  ＷＯ２００５／０３４６９５
【特許文献４】公開特許公報  特開２００２−１５９３９５
【実用新案文献１】
実用新案登録第３１２５２４８号
【実用新案文献２】
実用新案公開昭６３−１６１５８７
従来技術として上記の公開文献がある。
【発明の開示】
【発明が解決しようとする課題】
【０００４】１）従来技術である特許文献１はカーテンの片側でのみ襞を作るためウエーブの均一性がうまく出せないという問題があった。またカーテンの側面位置にフックを設けるため壁掛け式のみに限られ天井からの吊り下げ式には適さないという問題があった。図７は特許文献１の図３を従来例として引用したものであるがカーテン部襞が半円弧で作られるので半円弧同士の隣接部は急峻に布地が折られるためカーテン上部で形成させた襞はカーテン下部では襞が続かず美観に問題があった。
２）従来技術である特許文献２も同じくカーテンの片側でのみ襞を作るためウエーブの均一性がうまく出せないという問題があった。またカーテンの側面の位置にフックを設けるため壁掛け式のみに限られ天井からの吊り下げ式には適さなかった。
３）特許文献３に使用するフックはフック通し穴部に挿入される部分が平板状であるため、フックの材料費が高くなり且つ特殊なフックのため一般性が無く入手が困難であり、またカーテンテープもこのフックに合わせた特殊なものとなり、全体的に高価なものとなる問題があった。
４）特許文献４に開示されたものはカーテンランナーが一定間隔で保たれるように各ランナー同士を紐で連結するものであるが、カーテンテープならびにカーテンフックには何ら工夫が無いためウエーブ形成に問題があった。
５）従来技術である実用新案文献１はカーテンの片側で且つウエーブ形状を１個おきに連結具で間隔を狭めて作るためウエーブの均一性がうまく作れず、ウエーブの美観に問題があった。
６）実用新案文献２に記載された内容は前述した特許文献４の内容とほぼ同じでカーテンランナーが一定間隔で保たれるように各ランナー同士を紐で連結するものであるが、カーテンテープならびにカーテンフックには何ら工夫が無いためウエーブ形成に問題があった。
【課題を解決するための手段】
【０００５】  本発明を実現するには以下の手段による。
「手段１」
カーテンの表側と裏側に交互に凹凸のウエーブ状襞を作るために、ウエーブ振幅の略中央部の隣接点同士をカーテン生地の半波ウエーブ長さより短い所定の長さの紐体でランナー同士を結合するカーテン装置において、ウエーブの振幅の略中央部にて、カーテン上端部のカーテンテープにカーテンレール長手方向に垂直なフック通し穴部を設けて、穴部ピッチに対応した足部ピッチを有する吊り下げ用複数足フックまたはそのフックに吊り下げ高さの調節機能を有したフックを装着したことを手段とするウエーブ状襞を形成するカーテン方式。
「手段２」
手段１において、紐体でランナー同士の結合をせず、カーテン閉口時にはウエーブ状襞を設けずフラットなカーテン形態とし、カーテン開口時にはウエーブ状襞を形成するカーテン方式。
「手段３」
手段１において、カーテンの表側と裏側凸部の連結紐体の長さを交互に変えることでカーテンの表側と裏側凸部のピッチ比を異ならせたことを手段とするウエーブ状襞を形成するカーテン方式。
【発明の効果】
【０００６】１）ウエーブ振幅の中央部に２本足又は複数足のフックをその足が入るテープに設けたフック通し穴部に挿入するのでその複数足ピッチ間はカーテンテープの直線剛性が得られる。このためウエーブの中央部のフック位置はカーテンにウエーブ曲線の接線的な剛性の高い直線部ができて、柔軟性を必要とする曲率の高いウエーブ頂点部と差を持たせることで得られる効果があり、またカーテン用複数足フックを用いているためにカーテンの自然なウエーブに逆らわずにカーテンと一体となってカーテンの美しいウエーブ状襞を形成する。
２）カーテンテープはウエーブ状襞を自然に美しく形成するためにカーテンレール長手方向に柔らかいことが必要であるが、この場合本発明の複数足フックを用いることでカーテンテープの剛性に差を持たせウエーブ状襞の形成がより確実なものとなる。
３）ウエーブ振幅の中央部をフック位置とするため表裏でカーテンウエーブ部の重量が均等となり、カーテン開閉時の動作がスムーズとなる。またカーテン吊り下げ時に上部から下部まで均一垂直となりカーテン下部までウエーブが作られる。またその形も各ウエーブが均一となるためカーテンの美観が向上する。
４）ウエーブの形はフックを吊り下げるランナー同士を連結する紐体長さを変えることで簡単に変えられる。
５）本発明で紐体でランナー同士の結合をしない場合は、カーテンを閉めた状態の閉口時にはウエーブ状襞を設けずフラットなカーテン形態となり、カーテンを開いた状態の開口時にはウエーブ状襞を形成するカーテン方式が可能になる。
６）フックを吊り下げるランナー同士を連結する紐体長さを交互に変えればカーテンの表側と裏側凸部のピッチ比が異なり美観の多様性が増す。
【発明を実施するための最良の形態】
【０００７】  以下図面によって説明する。
【実施例１】
【０００８】  図１は本発明を実施したウエーブを持たせたカーテンである。１はカーテン生地部、２はカーテン上部に設けたテープであり、カーテンレール長手方向に垂直なフック通し穴部３を多数有している。図１のカーテンがランナーに吊るされる場合は、複数足フックの足がウエーブ振幅の中央部付近の図１に示したＡ，Ｂ，Ｃ，Ｄ，Ｅ，Ｆ，Ｇなる位置にて、フック通し穴部に挿入され、カーテンレールを自由に移動可能なランナーに吊るされる。このフック通し穴部３は必ずしもテープ長手方向全体に設けなくても良く、例えば２本足フックを用いる場合はウエーブ振幅の中央部をまたいで２本足フックを装着するための２箇所のフック通し穴部を有するものでも良い。その場合のフック通し穴部３は各ウエーブ振幅の中央部である図１に示したＡ，Ｂ，Ｃ，Ｄ，Ｅ，Ｆ，Ｇなる位置をまたいでテープ２の片面に２個ずつ設けられるのが望ましい。
図２は本発明に使用する複数足フックでありその内の最も簡単な２本足フック４の図である。４の上部で折れ曲がっているフック部は一般のカーテンレールを移動できるランナーに吊り掛ける部分であり、下部から上方に向かって立っている２本の足は前述したフック通し穴部に挿入してカーテンを吊る部分である。  このフックは金属製でもプラスチック製でも良い。フック通し穴部ピッチはフックの複数足部ピッチと対応している。この場合、ウエーブ振幅の中央部に位置するフック通し穴に２本足又は複数足のフックが挿入され、それらのフックは金属やプラスチックでできているので、その剛性に助けられてカーテンテープの直線剛性が増すことになる。このためウエーブの中央部のテープ２のフック位置付近はカーテンにウエーブ曲線の接線的な剛性の高い直線部ができて、柔軟性を必要とする曲率の高いウエーブ頂点部と差を持たせることで得られる効果でウエーブがより美しく形成される。
また吊り下げ用フック４はその上下方向の長さを可変できるアジャスター機能を有するものであれば天井から吊り下げる場合にカーテンの下部と床の間隔をカーテン生地長さを変えずに行えるので便利である。図２に示した吊り下げ用２本足フックはアジャスター機能を有しない一般的なもので容易に入手ができる。
更に図１に点線で示す様に隣接するウエーブ振幅の中央部Ａ、Ｂ，Ｃ，Ｄ，Ｅ，Ｆ，Ｇ同士はウエーブの半サークル長より短い長さに紐体等でその間隔を保てば美しい襞が容易に得られる。
図１のカーテンをフックにてカーテンレールに吊るす場合、前述した移動可能なランナーに吊り下げるがそのとき各隣接のランナーをウエーブの半サークル長より短い長さに紐体等で連結すればよい。
以上のようにすればカーテンの非窓側をカーテンの表側また窓側をカーテンの裏側とすれば、フック位置はウエーブ振幅の中央部に設けられているので表裏で重量がバランスして開閉時スムーズに動作できる。
図３はランナー同士をウエーブの半サークル長より短い長さに紐体５で連結した場合をカーテン垂直方向から見た側面図である。尚ランナーやフックの図示は省略してある。
このようにすれば前述した複数足フックによる効果とともに均一で美しい襞を有することができる。またこのようにしてカーテンのウエーブが簡単な方法で確実にできるので安価性をも有している。【０００９】図４は本発明の請求項１のカーテンの開口時、閉口時を示す側面図である。図４の（ａ）はカーテンを閉じた閉口時の図、図４の（ｂ）はカーテンを開いた開口時の図である。どちらもウエーブがきれいに形成されている。これに対して図５は請求項２の内容を具体的に説明するための同じくカーテンの開口時、閉口時を示す側面図である。本発明で紐体でランナー同士の結合をしない場合は、閉口時に生地がフラットになるように生地の長さを設定する必要があるが、閉口時にはウエーブ状襞の無いフラットなカーテン形態となり図５の（ａ）となる。カーテンを開いた状態の開口時には複数足フック等の効果でウエーブ状襞を形成するカーテンにすることが可能で図５の（ｂ）の状態になる。そのため紐体の有無で閉口時には２つの異なるカーテン方式が可能になる。【００１０】図６はカーテンの表側と裏側凸部の連結紐体５と６の長さを変えることでカーテンの表側と裏側凸部のピッチ比を異ならせた別の本発明の実施図であり請求項３に対応する。即ち表側凸部を作るＡＢ間紐体５と裏側凸部を作るＢＣ間紐体６で紐体の長さを変えた場合の本発明のカーテンの垂直方向から見た側面図である。カーテンの表側と裏側凸部の連結紐体の長さを交互に変えることでカーテンの表側と裏側凸部のピッチ比を異ならせたカーテン方式であり、美観の多様性が増す効果を有するものである。
【産業上の利用可能性】
【００１１】
【００１２】  本発明により作られるカーテンはウエーブが美しく確実にできるので実用性、優美性、品質の均一性があり且つ安価性を備えたものであるので、工業的に大きな貢献が期待される。
【図面の簡単な説明】
【００１３】
【図１】本発明のカーテンの立体図
【図２】本発明に使用する吊り下げ用フック
【図３】本発明のカーテンの図１の側面図
【図４】本発明のカーテンの開口と閉口時の図
【図５】別の本発明のカーテンの開口と閉口時の図
【図６】別の本発明の側面図
【図７】従来技術の図
【符号の説明】
【００１４】１              ：    カーテン生地部
２              ：    テープ部
３              ：    フック通し穴部
４              ：    吊り下げ用２本足フック
５，６          ：    紐体
７              ：    吊り下げ用１本足フック
Ａ，Ｂ，Ｃ，Ｄ，Ｅ，Ｆ，Ｇ：    ウエーブ振幅の中央位置
【図１】
2008253686.tif 000003
【図２】
2008253686.tif 000004
【図３】
2008253686.tif 000005
【図４】
2008253686.tif 000006
【図５】
2008253686.tif 000007
【図６】
2008253686.tif 000008
【図７】
2008253686.tif 000009